(57)【要約】【課題】小規模な敷地内に建設される小規模なプラントとして好適な低コストの改良土製造プラントを提供すること。【解決手段】改良土４を保管する敷地１に建設される建屋１０１と、建屋１０１内で改良土４を搬送する搬送手段１０とを備えた改良土保管プラント１００であって、搬送手段１０を、建屋１０１に吊設した。【選択図】図１
2006298584.tif 000002
【特許請求の範囲】
【請求項１】
改良土を保管する敷地に建設される建屋と、該建屋内で改良土を搬送する搬送手段とを備えた改良土保管プラントであって、該搬送手段を、前記建屋に吊設したことを特徴とする改良土保管プラント。
【請求項２】
搬送手段に、走行式スクレーパを設けたことを特徴とする請求項１記載の改良土保管プラント。
【請求項３】
走行式スクレーパは、Ｖ形スクレーパと、該Ｖ形スクレーパの頂点を中心として回動する案内板とを備えていることを特徴とする請求項２記載の改良土保管プラント。
【発明の詳細な説明】
【技術分野】
【０００１】
本発明は、改良土製造工程の一次処理として掘削土に生石灰を混入して製造された改良土を、その二次処理として出荷前の保管をする改良土保管プラントに関する。
【背景技術】
【０００２】
従来の改良土保管プラントは、該プラントの敷地に建屋が建設され、該建屋内に柱で支持されたベルトコンベアが地上に設けられていた。さらに、必要に応じ、該ベルトコンベアの搬送面上にトリッパが固定して設けられていた。
【０００３】
これにより、該ベルトコンベアで搬送される改良土をその種類、用途、貯蔵方法などによってベルトコンベアの中間で荷下ろしするようにされていた。トリッパのほかに、スクレーパが設けられる場合もあった（特許文献１参照）。
【特許文献１】実公昭５７−１８３３８号公報（図３）
【発明の開示】
【発明が解決しようとする課題】
【０００４】
ところで、今日の行政庁の指導においては、生産した改良土（製品）の日付時間を明白にすることが要求されている。これは小規模な敷地内であっても要求され、生産の日付時間に基いて荷下ろしのポイントを区分し、ポイント毎に製品を仕分けする必要がある。
【０００５】
さらに、都市市街地に恒久的な改良土保管プラントを建設する場合、該プラントの敷地面積が制限されているため、改良土の堆積場は比較的小規模であることが多いという制約があった。
【０００６】
かかるプラント内に設けられるベルトコンベアは、柱で支持されて地上に設けられており、該ベルトコンベアを地上高くに設けても搬送手段の柱があり、敷地内で作業するダンプやフォークリフトの邪魔となるため、それらが自在に動くことができず作業効率が悪いという問題点もあった。
【０００７】
また従来のトリッパにおいては、二つのプーリでベルトコンベアのベルトをＳ字状に曲げ、被搬送物がベルト外に放出するようにされるので、コンベア上方及び前方に所定空間が必要となり、地上高くに設けることができず、またその機構が複雑で装置のコストがかかるという問題点があった。
【０００８】
そこで、本発明は、上記問題を解決しようとするもので、小規模な敷地を有効活用することができる改良土保管プラント、当該敷地内に建設される小規模なプラントの一として好適な低コストの改良土保管プラントを提供することを目的としている。
【課題を解決するための手段】
【０００９】
請求項１記載の改良土保管プラントは、改良土を保管する堆積場としての敷地に建設される建屋と、該建屋内で改良土を搬送する搬送手段とを備えた改良土保管プラントであって、該搬送手段を、前記建屋に吊設したところに特徴を有する。
【００１０】
これは、前記搬送手段をプラントの建屋に吊設することにより、搬送手段を支持する柱を削除しこれらが不要なプラントを実現しようとするものである。なお、搬送手段としては公知のベルトコンベアが挙げられ、該搬送手段の吊設手段は公知のいかなる手段であっても良い。
【００１１】
請求項２記載の改良土保管プラントは、請求項１記載の改良土保管プラントにおいて、搬送手段に、走行式スクレーパを設けたところに特徴を有する。
【００１２】
これは、敷地内で改良土を効率的に複数の堆積ポイントに振分け可能とするために、搬送手段上に走行式スクレーパを移動可能に設けたものである。これにより、コンベア上方及び手前の省スペース化を図り、改良土を任意の箇所で適宜左右両側若しくは片側へ振分け配分して排出しようとするものである。
【００１３】
請求項３記載の改良土プラントは、請求項２記載の改良土保管プラントにおいて、走行式スクレーパは、Ｖ形スクレーパと、該Ｖ形スクレーパの頂点を中心として回動する案内板とを備えているところに特徴を有する。
【００１４】
ここで、「スクレーパの頂点」は、被搬送（上流）側へ角をつくる切出し面板の交点のことである。なお、スクレーパは、固定式のスクレーパであっても良いし、２方向となる別体の２枚の切出し面板を一方端で枢設して頂点を構成し、角度可変のＶ形に構成した可動式のスクレーパであっても良い。
【００１５】
これは、一のスクレーパで、複数方向の分岐配分の排出をすることができるようにしたものである。すなわち、スクレーパの頂点を中心として回動する案内板を備えることにより、該案内板を適宜任意の方向に設定し、改良土を確実かつ円滑にスクレーパによる排出方向へ案内することができるようにしたものである。
【００１６】
なお、任意方向への設定手段は、いずれの手段であっても良く、例えば枢設、軸支、係止等が挙げられる。任意の方向のうち、特に左右片側方向、両側方向の三方向に設定できるようにすることが好ましい。
【発明の効果】
【００１７】
請求項１記載の改良土保管プラントによれば、改良土を保管する敷地に建設される建屋と、該建屋内で改良土を搬送する搬送手段とを備えた改良土保管プラントであって、該搬送手段を、前記建屋に吊設したので、柱の制約を受けることなく、小規模な敷地を有効活用することができるという効果を奏する。
【００１８】
請求項２記載の改良土保管プラントによれば、請求項１記載の改良土保管プラントの奏する効果に加えて、搬送手段に、走行式スクレーパを設けたので、トリッパを設けた場合に比較して低コストで改良土保管プラントを提供することができるという効果を奏する。
【００１９】
請求項３記載の改良土プラントによれば、請求項２記載の改良土プラントの奏する効果に加えて、走行式スクレーパは、Ｖ形スクレーパと、該Ｖ形スクレーパの頂点を中心として回動する案内板とを備えているので、一の走行式スクレーパで、案内板を任意方向に回動し、改良土を任意の箇所で左右両側若しくは片側へ適宜振分け配分排出することができるという効果を奏する。
【発明を実施するための最良の形態】
【００２０】
以下、本発明を実施するための最良の形態を図面を用いて説明するが、本発明の趣旨を越えない限り何ら以下の例に限定されるものではない。図１は本発明の改良土保管プラントの一実施例を側方からみた概念図である。
【００２１】
改良土保管プラント１００は、改良土製造プラント等の前工程（一次処理）において掘削土と生石灰とを混合して製造された改良土４を、その後工程（二次処理）として処理を行うものであり、その構成は、少なくとも、改良土４を保管する堆積場としての敷地１に建設される建屋１０１と、建屋１０１内で改良土４を搬送するベルトコンベア１０とを備えている。
【００２２】
敷地１は、改良土４の堆積場として利用される土地であり、ビルの谷間等の空き地等であることが多く、比較的小規模である。
【００２３】
改良土保管プラント１００を敷地１内に建設するに際し、プラント内に設ける設備を密閉するような建屋１０１で覆うようにしてある。建屋１０１には、図１に示すように、ベルトコンベア１０を建屋１０１の屋根１０２に吊設して設けてある。
【００２４】
ベルトコンベア１０は、生産された改良土４を建屋１０１内で搬送するものであり、公知のベルトコンベア等で構成され、該ベルトコンベアに設けた駆動装置がベルトを正逆回転制御して改良土４の搬送方向を可変できるようにしてある。
【００２５】
また、ベルトコンベア１０の搬送面上には、走行式スクレーパ２０を設けてある。なお、ベルトコンベア１０への改良土４の供給は、建屋１０１外からベルトコンベア１０へ改良土４を供給する搬入コンベア３により供給されるようにしてある。
【００２６】
図２は、図１に示す走行式スクレーパ２０の拡大図である。走行式スクレーパ２０は、改良土４をせきとめるＶ形スクレーパ２１と、案内板２２と、案内シュート３０とホッパ４０とを一体とし、これを走行台車５０の上に乗せ、さらにストッパー６０とを備えている。
【００２７】
ベルトコンベア１０の両側１１に、柱１３（図６参照）を介してレール（Ｈ鋼）１２を設け、このレール１２に沿って走行台車５０の車輪が回転して走行台車５０が走行するようにしてある。また、走行台車５０を斜傾して車輪の回転を規制するストッパー６０を設けてある。
【００２８】
図３は、Ｖ形スクレーパ２１と案内板２２の分解斜視図である。Ｖ形スクレーパ２１は、２方向となる別体の２枚の切出し面板２１０，２３０を一方端で枢設して頂点を構成し、角度可変のＶ形に構成した可動式のスクレーパ２１である。
【００２９】
Ｖ形スクレーパ２１は、枢設を解除することにより、Ｖ形スクレーパ２１及び案内板２２を走行台車５０から取外すことが可能としてある。
【００３０】
Ｖ形スクレーパ２１の頂点には、被搬送（上流）側へ突出する嵌合部２１１，２３１を上下両側に設けてある。また、案内板２２の一方端に嵌合部２１１，２３１の間に嵌合する嵌合連結部２２３を設けてあり、Ｖ形スクレーパ２１と案内板２２が嵌合するようにしてあり、案内板２２のみの取外しが可能としてある。
【００３１】
嵌合部２１１，２３１及び嵌合連結部２２３は、中空円筒状に形成してあり、該円筒に着脱自在に挿入されるピン２５により、枢設する構成としてある。嵌合２３１にバネ受け２３を設け、ピン２５の頭部とバネ受け２３との間にバネ２４を設けてある。
【００３２】
図３には図示していないが、ピン２５の頭部は走行台車５０に係止するようにしてあり、Ｖ形スクレーパ２１及び案内板２２は、ベルトコンベア１０側へ付勢されるようにしてある。
【００３３】
他方、案内板２２の他方端には、走行台車５０に設けた係合筒部５１，５３に対応する係合部２２１を設け、案内板２２の他方端から所定間隔を置いた箇所に、走行台車５０に設けた係合筒部５２に対応する係合部２２２を設けてある。
【００３４】
このため、案内板２２は、それらを対応する相互に係合することにより、ベルトコンベア１０のいずれか片側及び両側の３方向に設定できるようにしてある。なお、切出し面板２１０，２３０にも、同様に係合部を設けて切出し面板２１０，２３０を固定するようにしてある。
【００３５】
図４及び図５は、案内板２２を適宜任意の方向に設定する様子を概念的に示す図である。図４は、改良土４をベルトコンベア１０の搬送方向の左岸側に排出するように設定した状態を示す図であり、案内板２２の係合部２２１と走行台車５０の係合筒部５１とを、係合用ピン５５を用いて係合し、案内板２２を切出し面板２１０と同一方向に設定した状態を示してある。
【００３６】
このため、図４の矢印方向に搬送された改良土４は、案内板２２に沿って搬送方向の左岸側へ排出するように導かれる。
【００３７】
図５は、図４とは反対に改良土４をベルトコンベア１０の搬送方向の右岸側に排出するように設定した状態を示す図であり、案内板２２の係合部２２１と走行台車５０の係合筒部５３とを、係合用ピン５５を用いて案内板２２を切出し面板２３０と同一方向に設定した状態を示してある。
【００３８】
この場合には、図５の矢印方向に搬送された改良土４は、案内板２２に沿って搬送方向の右岸側へ排出するように導かれる。
【００３９】
また、図５に示す２点鎖線は、改良土４をベルトコンベア１０の搬送方向の両側に排出するように設定した状態を示す図であり、案内板２２の係合部２２２と走行台車５０の係合筒部５２とを、係合用ピン５５を用いて案内板２２を搬送方向と平行方向に設定した状態を示してある。
【００４０】
この場合には、案内板２２に沿って、搬送方向の両側方向に排出するように導かれる。
【００４１】
図６及び図７は、さらに改良土４をコンベア外へ案内する案内シュート３０の特徴部分を示す図である。図６は、案内シュート３０を示す斜視図であり、図７は、図６のＡ−Ａ’線における断面図である。案内シュート３０は、ベルト側案内シュート３１と、ホッパ側案内シュート３２と、側壁板３３とを備えている。
【００４２】
ベルト側案内シュート３１は、図７に示すように、ベルトコンベア１０のベルト１４の下方から側方へ斜めに延出するように設けてあり、その長さは柱１３の内側に止まる長さにしてある。
【００４３】
また、ホッパ側案内シュート３２は、ベルト側案内シュート３１により排出された改良土４をホッパ４０へ案内するシュートであり、ホッパ４０から柱１３の外側手前へ斜めに延出するようにホッパ４０に設けてある。側壁板３３は、ホッパ側案内シュート３２の上方に設けてあり、改良土４をホッパ４０へ案内する。
【００４４】
このため、案内シュート３０は、改良土４がベルト側案内シュート３１に案内されてベルト１４外へ落下し、ホッパ側案内シュート３２に案内されてホッパ４０へ案内される。
【００４５】
また、案内シュート３０をベルト側案内シュート３１とホッパ側案内シュート３２と側壁板３３とに別体に構成してあり、それらの間に柱１３が介在することができるようにしてあるので、柱１３が走行台車５０の移動の邪魔とならず、走行式スクレーパ２０がベルトコンベア１０上を円滑に移動可能である。
【００４６】
図８は、改良土保管プラント１００を用いて改良土４を敷地１内に適宜振分け配分して排出した状態を示す図である。図８には１つの走行式スクレーパ２０がベルトコンベア１０上を時間的に移動し、又は取り外した状態を示してある。
【００４７】
また、図８には、改良土４を荷下ろしする荷下ろしポイントＡ〜Ｆを波線円Ａ〜Ｆで示してある。以下に、改良土保管プラント１００を用いて敷地１内に改良土４を区分して保管する方法について説明する。
【００４８】
まず、走行式スクレーパ２０を、図８に示すように、ベルトコンベア１０の最左側へ移動した場合について説明する。この場合には、走行式スクレーパ２０は、走行台車５０のみでＶ形スクレーパ２１と案内板２２が走行台車５０から取り外してある。
【００４９】
このため、この場合には、ベルトコンベア１０により搬送された改良土４は、走行式スクレーパ２０を通過し、ベルトコンベア１０の最左端から排出落下され、敷地１内のポイントＡに堆積される。
【００５０】
次に、走行式スクレーパ２０を、ベルトコンベア１０の左から２番目の位置に移動した場合について説明する。この場合には、走行式スクレーパ２０は、案内板２２がベルトコンベア１０の搬送方向と平行に設定してある。
【００５１】
このため、この場合には、改良土４は、走行式スクレーパ２０により、ベルトコンベア１０の搬送方向の両側に排出され、敷地１内のポイントＢ，Ｃに堆積される。
【００５２】
走行式スクレーパ２０を、ベルトコンベア１０の左から３番目の位置に移動した場合について説明する。この場合には、走行式スクレーパ２０は、案内板２２が搬送方向の右岸側に設定してあり、改良土４が左岸側に排出するようにしてある。このため、改良土４は、走行式スクレーパ２０により、敷地１内のポイントＤに堆積される。
【００５３】
走行式スクレーパ２０を、ベルトコンベア１０の左から４番目の位置に移動した場合について説明する。この場合には、走行式スクレーパ２０は、案内板２２が搬送方向の左岸側に設定してあり、改良土４が右岸側に排出するようにしてある。このため、改良土４は、走行式スクレーパ２０により、敷地１内のポイントＥに堆積される。
【００５４】
走行式スクレーパ２０を、ベルトコンベア１０から取り外した場合について説明する。この場合には、Ｖ形スクレーパ２１と案内板２２が走行台車５０から取り外してあるときと同様に改良土４は通過する。もっとも、ベルトコンベア１０の搬送方向を逆回転させた場合には、改良土４は、ベルトコンベア１０の最右端から排出落下され、敷地１内のポイントＦに堆積される。
【００５５】
以上のように、改良土保管プラント１００によれば、改良土４を保管する敷地１に建設される建屋１０１と、建屋１０１内で改良土４を搬送するベルトコンベア１０とを備え、ベルトコンベア１０を、建屋１０１の屋根１０２に吊設したので、ベルトコンベア１０の下方の敷地を有効に活用することができ、コンベア支持用の柱による制約を受けることなくダンプ又はフォークリフトが作業することができる。
【００５６】
また、ベルトコンベア１０に、走行式スクレーパ２０を設けたので、トリッパを設けた場合に比較して低コストで改良土保管プラントを提供することができる。
【００５７】
さらに、走行式スクレーパ２０は、Ｖ形スクレーパ２１と、Ｖ形スクレーパ２１の頂点を中心として回動する案内板２２とを備えているので、案内板２２を任意方向に回動し設定することにより、一の走行式スクレーパ２０で、改良土４を任意の箇所で左右両側若しくは片側へ適宜振分け配分して排出することができる。
【００５８】
すなわち、第１に、比較的小規模で限られた敷地１内のプラントにおいては、その作業範囲が狭く、搬送経路も限られる。しかし、改良土保管プラント１００によれば、小規模な敷地１内に効率的な荷下ろしポイントＡ，Ｂ，Ｃ，Ｄ，Ｅ，Ｆを設け、各ポイントに改良土４を正確に搬送し、排出することができる。
【００５９】
第２に、生石灰を混合する改良土４の場合、混合生石灰に起因する製品の品質期限が限られる。さらに、運搬先によっては品質期限内に運搬可能であるか否かが異なることから、生産日付時間のみならず運搬先をも明白にし区分する必要がある。このような必要に対しても、改良土保管プラント１００によれば省スペースで実現することができるので、運搬先をも明白にし区分することができる。
【００６０】
第３に、ポイントに排出する手段は、ベルトコンベア１０上の任意の箇所において、改良土を適宜搬送経路の左右片側方向、両側方向の三方向へ選択的に分岐配分して排出することができる。また、コスト面、利便性の点で合理的なものである。
【００６１】
第４に、製品をダンプに積み込む際、従来のプラントにおいては、コンベアの柱が作業範囲にあると積込みの邪魔になり、作業が効率良くできない。またフォークリフトが自在に動けない。しかし、改良土保管プラント１００によれば、コンベア支持用の柱を削除したので敷地内を有効活用することができ、作業の効率が良い。
【００６２】
第５に、上記敷地１とベルトコンベア１０との離隔、ベルトコンベア１０とプラント１００の建屋１０１との間の離隔を最大限に活用することができる。
【００６３】
以上、本発明の改良土保管プラント１００についての最良の形態を、実施例に基いて説明したが、本発明は上記実施例に記載した構成に限定されるものではなく、その趣旨を逸脱しない範囲において適宜その構成を変更することができる。
【００６４】
例えば、搬送台車５０の移動は手動のものであっても良いし、電動であっても良い。
【産業上の利用可能性】
【００６５】
本発明の改良土保管プラントは、小規模な敷地内に、賞味期限を有する製品を製造日に基いて区分けして保管することが要請されるあらゆる産業分野に用いることができる。
【図面の簡単な説明】
【００６６】
【図１】本発明の改良土保管プラントの一実施例を側方からみた概念図である。
【図２】図２は、図１に示す走行式スクレーパの拡大図である。
【図３】Ｖ形スクレーパの主要部の分解斜視図である。
【図４】案内板を任意の方向に設定する様子を概念的に示す図である。
【図５】案内板を図４とは異なる方向に設定する様子を概念的に示す図である。
【図６】案内シュートを示す斜視図である。
【図７】図６のＡ−Ａ’線における断面図である。
【図８】上記実施例の改良土保管プラントを用いて改良土を敷地内に適宜振分け配分して排出した状態を示す図である。
【符号の説明】
【００６７】
１０    ベルトコンベア（搬送手段）
２０    走行式スクレーパ
２１    Ｖ形スクレーパ
２２    案内板
１００  改良土保管プラント
１０１  建屋
【図１】
2006298584.tif 000003
【図２】
2006298584.tif 000004
【図３】
2006298584.tif 000005
【図４】
2006298584.tif 000006
【図５】
2006298584.tif 000007
【図６】
2006298584.tif 000008
【図７】
2006298584.tif 000009
【図８】
2006298584.tif 000010